(57)【特許請求の範囲】
【請求項１】
ブロック板本体と、このブロック板本体を支持する支持パイプとからなり、この支持パイプの先端部と前記ブロック板本体の裏面側との取付けを、ブロック板本体の裏面外周側位置の複数箇所に取付けたばねを介して行うように構成すると共に、これら複数箇所に取付けたばねの強さの調整機構を設けたことを特徴とするブロック板。
【請求項２】
前記ブロック板本体と支持パイプ取付け角度を調整可能に構成したことを特徴とする請求項１に記載のブロック板。
【発明の詳細な説明】
【０００１】
【発明の属する技術分野】
本発明は、スポーツ用、特にバレーボールの練習用に使用されるブロック板に関するものである。
【０００２】
【従来の技術】
従来、バレーボールの練習の中でスパイクフォローの練習は、味方コートの選手がスパイクしたボールを相手コートの選手がジャンプして実際にブロックをしたり、或いは、相手コートの選手が持ったブロック板でブロックを行うことにより行っていた。
【０００３】
上記のようにブロック板を用いた練習は、味方コートの選手がスパイクしたボールを相手コートの選手がブロック板を用いてブロックし、このブロック板に当たって跳ね返ってくるボールを味方コートの他の選手がレシーブをしたり、相手コートの選手はブロック板の外側から抜けてくるボールのコースを読むことが目的であった。
【０００４】
【発明が解決しようとする課題】
すなわち、従来のブロック板１は、図８に示したような、アルミパイプにロープを編んだ網１ａを張っただけの平面的な物であったり、図９に示したような、ただ単に合板１ｂにフェルトを貼設しただけの平面的な物で、これを垂直状態に持って行うので、網１ａを張っただけのブロック板１の場合は、このブロック板１に当たって跳ね返るボールの速さや向きが不安定となり、また、合板１ｂにフェルトを貼設したブロック板１の場合は、このブロック板１に当たる角度によってはボールの跳ね返りが鋭角になって、ブロック板に当たった後のブロックのフォロー練習を行うことが困難であった。
【０００５】
従って、従来のブロック板を用いた練習では、相手コートではブロック板の外側から抜けてくるコースを読むという練習しか行えず、スパイクしたボールをブロックした後のフォロー練習が行えなかった。
【０００６】
このように、従来のブロック板を使用した練習では、スパイクフォロー練習とブロックフォロー練習の両方を同時に行うことが困難であった。
【０００７】
本発明は、上記した従来の問題点に鑑みてなされたものであり、１台のブロック板を用いてスパイクフォロー練習とブロックフォロー練習の両方を同時に、しかも、選手が実際にブロックしたような実戦的な練習を行うことが可能なブロック板を提供することを目的としている。
【０００８】
【課題を解決するための手段】
上記した目的を達成するために、本発明に係るブロック板は、ブロック板本体を支持する支持パイプの先端部と前記ブロック板本体の裏面側との取付けを、ブロック板本体の裏面外周側位置の複数箇所に取付けたばねを介して行うように構成すると共に、これら複数箇所に取付けたばねの強さの調整機構を設けている。
【０００９】
そして、このようにすることで、ブロック板に当たって跳ね返るボールの速さや向きが安定するのと共に、ブロック板に当たるボールの位置によって跳ね返る速さが変化し、選手が実際にブロックしたような実戦的な練習が行えるようになる。
【００１０】
【発明の実施の形態】
本発明に係るブロック板は、ボールの入射角と反射角と反発力の理論を取り入れたもので、ブロック板本体と、このブロック板本体を支持する支持パイプとからなり、この支持パイプの先端部と前記ブロック板本体の裏面側との取付けを、ブロック板本体の裏面外周側位置の複数箇所に取付けたばねを介して行うように構成したものである。
【００１１】
本発明に係るブロック板は、支持パイプの先端部と前記ブロック板本体の裏面側との取付けを、ブロック板本体の裏面外周側位置の複数箇所に取付けたばねを介して行うように構成したので、ブロック板に当たって跳ね返るボールの速さや向きが安定するのと共に、ブロック板に当たるボールの位置によってブロック板本体の反発力が変化してボールの跳ね返る速さが変化し、選手が実際にブロックしたような実戦的な練習が行えるようになる。
【００１２】
また、本発明に係るブロック板は、前記ブロック板本体の裏面外周側位置の複数箇所に取付けたばねの強さの調整機構を設けている。そして、この調整機構を設けることにより、ブロック板本体の反発力の微調整が行えるようになる。
【００１３】
上記の本発明に係るブロック板において、前記ブロック板本体と支持パイプ取付け角度を調整可能に構成した場合には、ブロック板に当たって跳ね返るボールの跳ね返り状態を適宜変化させることができるようになるので、より実戦的な練習が可能になる。
【００１４】
【実施例】
以下、本発明に係るブロック板を図１〜図７に示す１実施例に基づいて説明する。
図１〜図７は本発明に係るブロック板の説明図で、図１は側面図、図２は背面図、図３は平面図、図４は底面図、図５は正面図、図６はブロック板本体に対して支持パイプの取付け状態を傾けた側面図、図７は使用状態を示す図である。
【００１５】
図１〜図７において、１１は板１１ａの表面全域に例えば合成スポンジ１１ｂを貼設した例えば矩形状のブロック板本体であり、このブロック板本体１１の裏面外周側における例えば両側上下２箇所ずつの計４箇所に、平行に支持金具１２を突設している。
【００１６】
この支持金具１２は、本実施例では座１２ａに設けた雌ねじに、ナット１２ｃを螺合したボルト１２ｂをねじ込んだもので、前記ナット１２ｃのボルト１２ｂに対する螺合位置により、座１２ａに対するボルト１２ｂのねじ込み量を調節する。
【００１７】
１３は前記ブロック板本体１１を支持する支持パイプ１４の先端部を枢支状に取り付けた取付金具であり、本実施例では前記支持金具１２を構成するボルト１２ｃの軸部を貫通させた後、この取付金具１３と前記ナット１２ｃ間にばね１５を介在させたものを示している。なお、１４ａは前記支持パイプ１４の先端側における枢支部である。
【００１８】
すなわち、本発明に係るブロック板は、支持パイプ１４の先端部とブロック板本体１１の裏面側との取付けを、ブロック板本体１１の裏面外周側位置の例えば４箇所に取付けたばね１５を介して行うように構成しているのである。そして、このような構成により、ボールがブロック板本体１１に当たる位置によって、作用するばね１５の数や位置が異なってボールの跳ね返る速度（強さ）が異なることになり、選手が実際にブロックした場合と同様に、人の手のひらと、手首の感覚を備えるようにすることが可能になる。
【００１９】
加えて、本実施例では、ナット１２ｃにより座１２ａに対するボルト１２ｂのねじ込み量を調節することで、設置状態におけるばね１５の長さを調節し、ブロック板本体１１にボールが当たった場合のボールの反発力（ばね力）を調整できるものを示している。
【００２０】
１６は前記取付金具１３のブロック板本体１１と反対の側に取付けた角度調整板であり、支持パイプ１４の前記枢支部１４ａより若干把持側よりの位置を始端とし、前記枢支部１４ａを中心とする円弧状の角度調整孔１６ａを開設している。なお、本実施例では、支持パイプ１４に対するブロック板本体１１の取付けを垂直にも行えるよう、前記円弧状の角度調整孔１６ａの始端側を取付金具１３にまで延ばしている。
【００２１】
そして、支持パイプ１４の前記角度調整孔１６ａと対応する位置に、この角度調整孔１６ａに貫入する固定用のねじ軸１４ｂを突設し、このねじ軸１４ｂに螺合するチョウナット１７を締め付けることで、支持パイプ１４に対するブロック板本体１１の取付け角度を調節するように構成している。
【００２２】
本発明に係るブロック板は上記したような構成であり、使用に際しては、例えばナット１２ｃにより座１２ａに対するボルト１２ｂのねじ込み量を調節することで、ブロック板本体１１にボールが当たった場合のボールの反発力（ばね力）を調整した後、チョウナット１７を緩めた状態で、支持パイプ１４を枢支部１４ａを中心として回動させる。
【００２３】
そして、支持パイプ１４に対するブロック板本体１１の取付け角度が、得ようとする所定の角度となったところで、支持パイプ１４の前記回動を停止してチョウナット１７を締め付ける。このように操作することで、使用に際しては、垂直面のみならず、図７に示したように、所定の角度を付けた傾斜面のブロック板の使用が可能になる。
【００２４】
上記実施例では、ブロック板本体１１と支持パイプ１４の取付け角度を調整できるものを示したが、この調整機構は必ずしも必須のものではないことは言うまでもない。
【００２５】
また、支持パイプ１４の先端部とブロック板本体１１の裏面側とのばね１５を介した取付け構成（ばねの配置や数、取付け構造）や、ばね１５の強さの調整機構、ブロック板本体１１と支持パイプ１４の取付け角度調整機構は、同様の作用を奏するものであれば上記実施例の構成に限るものではないことは言うまでもない。
更に、上記実施例では、選手等が手に持って使用するものを示したが、スタンドに立てて使用するものでも良い。
【００２６】
【発明の効果】
以上説明したように、本発明に係るブロック板によれば、以下に列挙するような顕著な効果を有する。
▲１▼  ブロック板本体の保持をばねを介して行うことで、人の手の平の感覚の様に、ブロック板本体の周囲のばねの外周側にボールを当てるとボールが当たった位置近傍のばねのみが作用し跳ね返りの緩いボールが返る一方、ブロック板本体の中心部（ばねの内周側）にボールを当てるとすべてのばねが作用し跳ね返りの強いボールが返り、実戦的な効率の良い練習が可能になる。
【００２７】
▲２▼  ブロック板本体に鋭角の傾斜を付けることで、味方コートのスパイクフォローの練習で跳ね返りのボールが鋭角的な返り方や弧を描いた多才なボールが返り効率の良い練習が可能になる。
▲３▼  ブロック板本体に鈍角の傾斜を付けることで、相手コートのブロックフォローの練習でブロック板に当たって跳ね返るボールが弧を描いて自然な状態に上がり、二段トスが上げやすくなって、セッターへの返球に正確さを増し、より実戦的な効率の良い練習が可能になる。
【００２８】
すなわち、味方コートのスパイクフォロー練習と相手コートのブロックフォロー練習の両方の練習が一台のブロック板で可能になる。
【図面の簡単な説明】
【図１】本発明に係るブロック板の側面図である。
【図２】本発明に係るブロック板の背面図である。
【図３】本発明に係るブロック板の平面図である。
【図４】本発明に係るブロック板の底面図である。
【図５】本発明に係るブロック板の正面図である。
【図６】本発明に係るブロック板におけるブロック板本体に対して支持パイプの取付け状態を傾けた側面図である。
【図７】本発明に係るブロック板の使用状態を示す図である。
【図８】従来のブロック板の一例を示した図である。
【図９】従来のブロック板の他の例を示した図である。
【符号の説明】
１１    ブロック板本体
１１ａ  板
１１ｂ  合成スポンジ
１２    支持金具
１２ｂ  ボルト
１２ｃ  ナット
１３    取付金具
１４    支持パイプ
１４ａ  枢支部
１４ｂ  ねじ軸
１５    ばね
１６    角度調整板
１６ａ  角度調整孔
１７    チョウナット
【図１】
0004021656.tif 000002
【図２】
0004021656.tif 000003
【図３】
0004021656.tif 000004
【図４】
0004021656.tif 000005
【図５】
0004021656.tif 000006
【図６】
0004021656.tif 000007
【図７】
0004021656.tif 000008
【図８】
0004021656.tif 000009
【図９】
0004021656.tif 000010